【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
基体上に、
第１電極、第２電極、および前記第１電極と前記第２電極との間に設けられた発光層を有する発光素子と、
前記基体からの水分の移動を抑制するバリア層と、を備え、
前記バリア層は、前記基体と前記発光素子との間に設けられ、
前記バリア層は、前記発光素子の形成領域と平面的に重なるように設けられており、かつ前記発光素子の非形成領域には設けられていない部分を有することを特徴とするエレクトロルミネッセンス装置。
【請求項２】
請求項１に記載のエレクトロルミネッセンス装置において、
前記第２電極は、光透過性を有し、
前記第１電極と前記バリア層との間には、前記発光層にて発せられた光を前記第２電極側に向かって反射させる光反射層が形成されていることを特徴とするエレクトロルミネッセンス装置。
【請求項３】
請求項１に記載のエレクトロルミネッセンス装置において、
前記バリア層は、光反射性を有することを特徴とするエレクトロルミネッセンス装置。
【請求項４】
請求項１乃至３のいずれかに記載のエレクトロルミネッセンス装置において、
前記第２電極は、光反透過性を有し、
前記バリア層と前記第１電極との間には、光透過性を有する光透過層を備えていることを特徴とするエレクトロルミネッセンス装置。
【請求項５】
請求項１乃至４のいずれかに記載のエレクトロルミネッセンス装置において、
前記バリア層は、窒化珪素で構成されていることを特徴とするエレクトロルミネッセンス装置。
【請求項６】
請求項１乃至５のいずれかに記載のエレクトロルミネッセンス装置において、
前記バリア層は、窒化酸化珪素で構成されていることを特徴とするエレクトロルミネッセンス装置。
【請求項７】
基体上に、
複数の発光素子を含む、第１の発光素子群および前記第１の発光素子群とは異なる第２の発光素子群と、
前記基体からの水分の移動を抑制する第１バリア層および第２バリア層と、を備え、
前記発光素子は、第１電極、第２電極、および前記第１電極と前記第２電極との間に設けられた発光層を有し、
前記第１のバリア層および前記第２のバリア層は、前記基体と前記発光素子との間の第１の層に設けられ、
前記第１のバリア層は、前記第１の発光素子群に含まれる前記複数の発光素子の形成領域と平面的に重なるように設けられ、
前記第２のバリア層は、前記第２の発光素子群に含まれる前記複数の発光素子の形成領域と平面的に重なるように設けられていることを特徴とするエレクトロルミネッセンス装置。
【請求項８】
請求項７に記載のエレクトロルミネッセンス装置において、
前記第２電極は、光透過性を有し、
前記第１電極と前記第１のバリア層との間には、前記発光層にて発せられた光を前記第２電極側に向かって反射させる第１の光反射層が、前記第１のバリア層と重なるように設けられ、
前記第１電極と前記第２のバリア層との間には、前記発光層にて発せられた光を前記第２電極側に向かって反射させる第２の光反射層が、前記第２のバリア層と重なるように設けられていることを特徴とするエレクトロルミネッセンス装置。
【請求項９】
請求項７に記載のエレクトロルミネッセンス装置において、
前記第１のバリア層および前記第２のバリア層は、光反射性を有することを特徴とするエレクトロルミネッセンス装置。
【請求項１０】
請求項７乃至９のいずれかに記載のエレクトロルミネッセンス装置において、
前記第２電極は、光反透過性を有し、
前記第１のバリア層と前記第１電極との間には、光透過性を有する第１の光透過層が設けられ、
前記第２のバリアと前記第１電極との間には、光透過性を有する第２の光透過層が設けられていることを特徴とするエレクトロルミネッセンス装置。
【請求項１１】
請求項１乃至１０のいずれかに記載のエレクトロルミネッセンス装置において、
前記基体上に、前記発光素子を囲うように設けられた絶縁層を備え、
前記絶縁層を構成する材料は、前記基体を構成する材料と同じ材料であることを特徴とするエレクトロルミネッセンス装置。
【請求項１２】
請求項２または８に記載のエレクトロルミネッセンス装置において、
前記光反射層は、アルミニウムで構成され、その膜厚は１００Å〜５０００Åであることを特徴とするエレクトロルミネッセンス装置。
【手続補正２】
【補正対象書類名】明細書
【補正対象項目名】０００７
【補正方法】変更
【補正の内容】
【０００７】
本発明のエレクトロルミネッセンス装置は、基板上に、第１電極と、第２電極と、前記第１電極と前記第２電極との間に配置される少なくとも発光層を含む機能層と、を備えたエレクトロルミネッセンス素子を複数具備したエレクトロルミネッセンス装置において、少なくとも一以上のエレクトロルミネッセンス素子を含む複数のグループに区分された、各グループの一以上のエレクトロルミネッセンス素子に対して、前記基板からの水分の移動を抑制するバリア層を備えている。
本発明のエレクトロルミネッセンス装置は、基体上に、複数の発光素子を含む、第１の発光素子群および前記第１の発光素子群とは異なる第２の発光素子群と、前記基体からの水分の移動を抑制する第１バリア層および第２バリア層と、を備え、前記発光素子は、第１電極、第２電極、および前記第１電極と前記第２電極との間に設けられた発光層を有し、前記第１のバリア層および前記第２のバリア層は、前記基体と前記発光素子との間の第１の層に設けられ、前記第１のバリア層は、前記第１の発光素子群に含まれる前記複数の発光素子の形成領域と平面的に重なるように設けられ、前記第２のバリア層は、前記第２の発光素子群に含まれる前記複数の発光素子の形成領域と平面的に重なるように設けられている。
【手続補正３】
【補正対象書類名】明細書
【補正対象項目名】０００９
【補正方法】変更
【補正の内容】
【０００９】
尚、基板とは、本明細書においては、例えば、無アルカリガラス基板上に薄膜トランジスタ（ＴＦＴ）やその他の電子素子が形成された層（回路形成層）を備えたものをいう。
このエレクトロルミネッセンス装置において、前記第２電極は、光透過性を有し、前記第１電極と前記バリア層との間には、前記発光層にて発せられた光を前記第２電極側に向かって反射させる光反射層が形成されていてもよい。
このエレクトロルミネッセンス装置において、前記第２電極は、光透過性を有し、前記第１電極と前記第１のバリア層との間には、前記発光層にて発せられた光を前記第２電極側に向かって反射させる第１の光反射層が、前記第１のバリア層と重なるように設けられ、前記第１電極と前記第２のバリア層との間には、前記発光層にて発せられた光を前記第２電極側に向かって反射させる第２の光反射層が、前記第２のバリア層と重なるように設けられていてもよい。
このエレクトロルミネッセンス装置において、前記バリア層は、光反射性を有していてもよい。
このエレクトロルミネッセンス装置において、前記第１のバリア層および前記第２のバリア層は、光反射性を有していてもよい。
【手続補正４】
【補正対象書類名】明細書
【補正対象項目名】００１１
【補正方法】変更
【補正の内容】
【００１１】
このエレクトロルミネッセンス装置において、前記基板は、前記各エレクトロルミネッセンス素子を区画する絶縁層を備え、前記絶縁層を構成する材料は、前記基板を構成する材料と同じ材料であってもよい。
このエレクトロルミネッセンス装置において、前記基体上に、前記発光素子を囲うように設けられた絶縁層を備え、前記絶縁層を構成する材料は、前記基体を構成する材料と同じ材料であってもよい。
【手続補正５】
【補正対象書類名】明細書
【補正対象項目名】００１５
【補正方法】変更
【補正の内容】
【００１５】
このエレクトロルミネッセンス装置において、前記第２電極は、光反透過性を有し、前記発光層と前記第１電極との間には、前記第２電極と前記反射層との間の光学的距離を調整するための光透過性を有した光透過層を備えていてもよい。
このエレクトロルミネッセンス装置において、前記第２電極は、光反透過性を有し、前記第１のバリア層と前記第１電極との間には、光透過性を有する第１の光透過層が設けられ、前記第２のバリアと前記第１電極との間には、光透過性を有する第２の光透過層が設けられていてもよい。